(57)【要約】【課題】  容易に開封できるジッパー付き袋を提供する。【解決手段】  対向配置された第１壁面シート部２１及び第２壁面シート部２２を有し、内部に収納空間２８が形成された袋本体２と、互いに咬合可能な第１咬合部３１及び第２咬合部３２を有し、前記袋本体２の開口部を閉塞するジッパー３と、を備え、前記第１咬合部３１が、第１咬合部３１から下方に延設された取付け部を介して前記第１壁面シート部２１の内面に取り付けられ、前記第２咬合部３２が、直接又は取付け部を介して前記第２壁面シート部２２の内面に取り付けられているジッパー付き袋１であって、前記第１壁面シート部２１の外面の、前記第１咬合部３１に対応する位置又は第１咬合部３１よりも下方位置に、第１把持部５１が設けられ、前記第２壁面シート部２２の外面の、前記第２咬合部３２に対応する位置又は第２咬合部３２よりも下方位置に、第２把持部５２が設けられている。【選択図】  図８
2018167873.tif 000002
【特許請求の範囲】
【請求項１】
対向配置された第１壁面シート部及び第２壁面シート部を有し、内部に収納空間が形成された袋本体と、
互いに咬合可能な第１咬合部及び第２咬合部を有し、前記袋本体の開口部を閉塞するジッパーと、を備え、
前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、
前記第１壁面シート部の外面の、前記第１咬合部に対応する位置又は第１咬合部よりも下方位置に、第１把持部が設けられ、
前記第２壁面シート部の外面の、前記第２咬合部に対応する位置又は第２咬合部よりも下方位置に、第２把持部が設けられている、ジッパー付き袋。
【請求項２】
前記第１把持部が、シート材から形成されており、
前記シート材からなる第１把持部の基端部及び両側端部が前記第１壁面シート部の外面に連結され、前記第１把持部の基端部とは反対側の端部と第１壁面シート部の間に、指を差し込み可能な差込み部が形成されている、請求項１に記載のジッパー付き袋。
【請求項３】
前記第１把持部が、シート材から形成されており、
前記シート材からなる第１把持部の基端部が前記第１壁面シート部の外面に連結され、前記第１把持部が前記基端部を支点として第１壁面シート部に対して揺動可能である、請求項１に記載のジッパー付き袋。
【請求項４】
対向配置された第１壁面シート部及び第２壁面シート部を有し、内部に収納空間が形成された袋本体と、下方に延びる取付け部を介して前記第１壁面シート部の内面に取り付けられた第１咬合部と前記第２壁面シート部の内面に取り付けられた第２咬合部とを有するジッパーと、を備え、前記第１咬合部及び第２咬合部の咬合によって前記袋本体の開口部が閉塞されているジッパー付き袋の開封方法であって、
第１壁面シート部の外面に設けられた第１把持部を片手で摘み、且つ、第２壁面シート部の外面に設けられた第２把持部をもう片方の手で摘み、
前記第１把持部及び第２把持部をそれぞれ引張って第１壁面シート部と第２壁面シート部を離反させつつ、前記第１壁面シート部及び第２壁面シート部をその外側から収納空間側に押し込む、ジッパー付き袋の開封方法。
【発明の詳細な説明】
【技術分野】
【０００１】
本発明は、ジッパーによって袋本体が閉塞されるジッパー付き袋などに関する。
【背景技術】
【０００２】
従来、開口部にジッパーが設けられているジッパー付き袋が知られている。
また、ジッパーを開封し難くした改竄防止機能を有するジッパー付き袋も知られている。
例えば、特許文献１には、開口を有し物品を収納する収納空間を区画する袋本体と、一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、前記帯状基部のいずれか一方が、少なくとも前記袋本体の開口側に対応する一縁側と前記袋本体の収納空間側に対応する他縁側が前記袋本体に取り付けられ、前記帯状基部のいずれか他方は、前記袋本体の開口側に対応する一縁側は前記袋本体に取り付けられず、前記袋本体の収納空間側に対応する他縁側が前記袋本体に取り付けられているジッパーテープ付袋体が開示されている。
【０００３】
かかるジッパーテープ付き袋体は、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このため、雄側鈎部および雌側鈎部が互いに噛み合う方向に開封力が作用し、咬合が外されて袋本体が開封されることを防止でき、確実に改竄を防止することができる。
【０００４】
特許文献１のジッパーテープ付き袋体は、上述のように、開封困難な改竄防止機能を有するので、悪戯や不正行為などの改竄による開封（悪意を持った行為に基づく開封）を未然に防止でき、さらに、不用意な開封（改竄意図はないが、誤って開けてしまうなど）も防止できる。以下、改竄による開封及び不用意な開封を総称して「予定外の開封」又は「予定外開封」という。
しかしながら、かかる袋体は、例えば、それを購入した者にとって開封困難である。つまり、上記ジッパーテープ付袋体は、予定外の開封でなく、正規に開封したいときに容易に開封できないので、その改善が求められる。以下、予定外開封でない開封を、便宜上、「正規開封」という場合がある。
【先行技術文献】
【特許文献】
【０００５】
【特許文献１】特開２０１５−２１７９８０号公報
【発明の概要】
【発明が解決しようとする課題】
【０００６】
本発明の目的は、予定外の開封を防止できる機能を有しつつ、容易に開封できるジッパー付き袋及びジッパー付き袋の開封方法を提供することである。
【課題を解決するための手段】
【０００７】
本発明のジッパー付き袋は、対向配置された第１壁面シート部及び第２壁面シート部を有し、内部に収納空間が形成された袋本体と、互いに咬合可能な第１咬合部及び第２咬合部を有し、前記袋本体の開口部を閉塞するジッパーと、を備え、前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、前記第１壁面シート部の外面の、前記第１咬合部に対応する位置又は第１咬合部よりも下方位置に、第１把持部が設けられ、前記第２壁面シート部の外面の、前記第２咬合部に対応する位置又は第２咬合部よりも下方位置に、第２把持部が設けられている。
【０００８】
本発明の好ましいジッパー付き袋は前記第１把持部が、シート材から形成されており、前記シート材からなる第１把持部の基端部及び両側端部が前記第１壁面シート部の外面に連結され、前記第１把持部の基端部とは反対側の端部と第１壁面シート部の間に、指を差し込み可能な差込み部が形成されている。
本発明の好ましいジッパー付き袋は、前記第１把持部が、シート材から形成されており、前記シート材からなる第１把持部の基端部が前記第１壁面シート部の外面に連結され、前記第１把持部が前記基端部を支点として第１壁面シート部に対して揺動可能である。
【０００９】
本発明の別の局面によれば、ジッパー付き袋の開封方法を提供する。
本発明の開封方法は、対向配置された第１壁面シート部及び第２壁面シート部を有し、内部に収納空間が形成された袋本体と、下方に延びる取付け部を介して前記第１壁面シート部の内面に取り付けられた第１咬合部と前記第２壁面シート部の内面に取り付けられた第２咬合部とを有するジッパーと、を備え、前記第１咬合部及び第２咬合部の咬合によって前記袋本体の開口部が閉塞されているジッパー付き袋を開封する際に、第１壁面シート部の外面に設けられた第１把持部を片手で摘み、且つ、第２壁面シート部の外面に設けられた第２把持部をもう片方の手で摘み、前記第１把持部及び第２把持部をそれぞれ引張って第１壁面シート部と第２壁面シート部を離反させつつ、前記第１壁面シート部及び第２壁面シート部をその外側から収納空間側に押し込む。
【発明の効果】
【００１０】
本発明のジッパー付き袋は、予定外の開封を防止できる。さらに、本発明のジッパー付き袋は、第１把持部及び第２把持部が設けられているので、それらを利用してジッパーを容易に開封できる。
【図面の簡単な説明】
【００１１】
【図１】第１実施形態のジッパー付き袋の正面図。
【図２】図１のＩＩ−ＩＩ線で切断した端面図（ジッパー付き袋の幅方向中央部において上下方向で切断した端面図）。端面図は、切断面のみを表した図をいう（以下、同じ）。
【図３】図１のＩＩＩ−ＩＩＩ線で切断した端面図。
【図４】同ジッパー付き袋の第１壁面シート部側を上方から見た斜視図。
【図５】同ジッパー付き袋の第２壁面シート部側を下方から見た斜視図。
【図６】同ジッパー付き袋を予定外開封した際の状況を示す端面図であって、その際のジッパー付き袋を上下方向で切断した端面図。
【図７】同ジッパー付き袋を正規開封する際の状況を示す斜視図。
【図８】図７のジッパー付き袋を上下方向で切断した端面図。
【図９】ジッパー付き袋を正規開封し、第１咬合部と第２咬合部の咬合が解除されて開口し始めた際の状況を示す斜視図。
【図１０】図９のジッパー付き袋を上下方向で切断した端面図。
【図１１】第２実施形態のジッパー付き袋の正面図。
【図１２】図１１のＸＩＩ−ＸＩＩ線で切断した端面図。
【図１３】同ジッパー付き袋を下側から見た斜視図。
【図１４】第２実施形態のジッパー付き袋を正規開封し、第１咬合部と第２咬合部の咬合が解除されて開口し始めた際の状況を示す斜視図。
【図１５】第３実施形態のジッパー付き袋の正面図。
【図１６】図１５のＸＶＩ−ＸＶＩ線で切断した端面図。
【図１７】第４実施形態のジッパー付き袋の正面図。
【図１８】図１７のＸＶＩＩＩ−ＸＶＩＩＩ線で切断した端面図。
【図１９】図１７のＸＩＸ−ＸＩＸ線で切断した端面図。
【図２０】第４実施形態のジッパー付き袋を正規開封し、第１咬合部と第２咬合部の咬合が解除されて開口し始めた際の状況を示す斜視図。
【図２１】図２０のジッパー付き袋を上下方向で切断した端面図。
【図２２】第５実施形態の第１例のジッパー付き袋の正面図。
【図２３】図２２のＸＸＩＩＩ−ＸＸＩＩＩ線で切断した端面図。
【図２４】第５実施形態の第２例のジッパー付き袋の正面図。
【図２５】図２４のＸＸＶ−ＸＸＶ線で切断した端面図。
【図２６】第２例のジッパー付き袋の開口部を開口させたときの上下方向で切断した端面図。
【図２７】第２例のジッパー付き袋の第１把持部及び第２把持部を摘んだ端面図。
【発明を実施するための形態】
【００１２】
以下、本発明の実施形態について図面を参照しながら説明する。
本明細書において、方向を示す用語として、「上」及び「下」を使用するが、「上」は、袋本体を基準にしてその開口部側を指し、「下」は、上とは反対側（袋本体の開口部とは反対側）を指す。例えば、図１では、袋本体の開口部を紙面の上側にして表している。「幅」又は「幅方向」は、図１の正面視において、上下方向と直交する方向である。また、用語の頭に、「第１」、「第２」を付す場合があるが、この第１などは、用語を区別するためだけに付加されたものであり、その順序や優劣などの特別な意味を持たない。
本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
各図に示される層、部分及び部材の寸法、縮尺及び形状は、実際のものとは異なっている場合があることに留意されたい。
【００１３】
［第１実施形態］
図１乃至図５において、ジッパー付き袋１は、第１壁面シート部２１及び第２壁面シート部２２を有する袋本体２と、前記袋本体２の開口部２９を閉塞するために袋本体２に取り付けられたジッパー３と、を有する。
本発明のジッパー付き袋１は、袋本体２の第１壁面シート部２１と第２壁面シート部２２に、それぞれ把持部５１，５２が設けられていることを特徴とする。
【００１４】
袋本体２は、内部に収納空間２８を有する袋状である。袋本体２には、前記収納空間２８に通じる開口部２９が上方に形成されている。
袋本体２は、柔軟な第１壁面シート部２１及び第２壁面シート部２２を有し、第１壁面シート部２１と第２壁面シート部２２は、互いの内面同士を向かい合わせて配置されている。
第１壁面シート部２１及び第２壁面シート部２２の正面視形状は、特に限定されず、例えば、正面視略四角形状、略六角形状などの略多角形状；略円形状；略楕円形状；略Ｔ字状；これらの形状が組み合わされた異形状；などが挙げられる。本明細書において「略」は、本発明の属する技術分野において許容される範囲を意味する。略四角などの略多角、略Ｔ字の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円及び略楕円の「略」は、例えば、周の一部が僅かに膨らむ又は窪んでいる形状、周の一部が若干直線又は斜線とされた形状などが含まれる。
図示例では、図１のように、第１壁面シート部２１及び第２壁面シート部２２は、いずれも正面視略長方形状（又は略正方形状）であり、同形同大である。
【００１５】
柔軟なシート材から形成された袋本体２の製袋方法は、従来公知な包装袋やパウチ袋などの製袋方法を適用できる。
例えば、本実施形態では、袋本体２は、第１壁面シート部２１及び第２壁面シート部２２のみから構成されている。第１壁面シート部２１と第２壁面シート部２２を重ね合わせ、それらの上端部を除く周端部（下端部及び両側端部）を封止することにより、上方に開口部２９を有する袋本体２が形成されている。
図示例では、第１壁面シート部２１及び第２壁面シート部２２は、１枚のシート材から構成されている。例えば、１枚のシート材を下方において折り返して２重に重ね（この場合、２重のシート材のうちの一方が第１壁面シート部２１であり、他方が第２壁面シート部２２である）、その両側端部を互いに接着することにより、上方に開口部２９を有する袋本体２が形成されている。
図１などの各正面図において、シート材が接着されている部分に、描写上、無数のドットを付加している。また、図２などの各端面図において、第１壁面シート部２１などを構成するシート材同士が接している箇所や、シート材とジッパー３が接している箇所は、それらが接着されている部分である。
【００１６】
なお、特に図示しないが、前記第１壁面シート部２１及び第２壁面シート部２２は、別々のシート材から構成されていてもよい。この場合、別々のシート材からなる第１壁面シート部２１及び第２壁面シート部２２を重ね合わせ、上端部を除く周端部（下端部及び両側端部）を互いに接着することにより、上方に開口部２９を有する袋本体２が形成される。また、第１壁面シート部２１及び第２壁面シート部２２は、それぞれ独立して、２枚以上のシート材から構成されていてもよい。この場合、２枚以上のシート材を適宜接着して第１壁面シート部２１及び第２壁面シート部２２をそれぞれ形成し、それらを重ね合わせて前記のように周端部を接着することにより、上方に開口部２９を有する袋本体２が形成される。
【００１７】
第１壁面シート部２１と第２壁面シート部２２の上端部を除く周端部の接着方法は、特に限定されず、代表的には、熱溶着、或いは、接着剤を用いた接着が挙げられる。簡易にシート材を接着できることから、熱溶着が好ましい。
第１壁面シート部２１及び第２壁面シート部２２を構成するシート材としては、従来公知のものを用いることができる。シート材は、透明又は不透明の何れでもよい。シート材は、収納する物品の種類、コストなどに応じて適宜選定でき、例えば、１層の樹脂層又は２層以上の樹脂層を有する合成樹脂シート、紙、合成紙、発泡樹脂シート、不織布、これから選ばれる２種以上の積層体、これらとバリア層の積層体などが挙げられる。
なお、第１壁面シート部２１及び第２壁面シート部２２を含む袋本体２には、必要に応じて、所望のデザインが印刷などによって表示される（このようなデザイン表示は図示せず）。
【００１８】
袋本体２を形成するシート材は、好ましくは合成樹脂シートから構成される。前記樹脂シートには、耐衝撃性、耐磨耗性、及び耐熱性などの、袋としての基本的な性能を備えることが要求される。また、上述のように、袋本体２は、通常、シート材の熱溶着によって形成されるので、樹脂シートにはヒートシール性も要求される。樹脂シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。但し、ジッパー付き袋１の断面図である図２及び図３においては、便宜上、第１壁面シート部２１及び第２壁面シート部２２を１層構造で表している（以下、他のジッパー付き袋１の断面図についても同様）。
【００１９】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層又は二層以上の延伸又は未延伸フィルムが例示できる。
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。
ガスバリア層としては、アルミニウム等の金属薄膜、又は塩化ビニリデン（ＰＶＤＣ）、エチレン−ビニルアルコール共重合体（ＥＶＯＨ）等の樹脂シート、或いは任意の合成樹脂シート（例えば、ベースフィルム層であってもよい）に、アルミニウム、酸化アルミニウムやシリカ等の無機酸化物等を蒸着（又はスパッタリング）したフィルムが例示できる。
前記シート材には、商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。
【００２０】
ジッパー３は、袋本体２の開口部２９を閉塞するべく、袋本体２の内面側に設けられている。図示のように、開口部２９が幅方向に拡がっている袋本体２にあっては、ジッパー３は、袋本体２の開口部２９の近傍において幅方向に延在されている。
具体的には、ジッパー３は、互いに咬合可能な第１咬合部３１及び第２咬合部３２を有する。第１咬合部３１及び第２咬合部３２としては、雄雌鈎の咬合構造のもの、例えば、特許文献１（特開２０１５−２１７９８０号公報）に開示された咬合構造などが挙げられる。第１咬合部３１と第２咬合部３２は、互いに咬合することによって一体化され、また、前記咬合を解除することによって互いに離反可能である。
第１咬合部３１は、例えば、図２に示すように、基部３１１と前記基部３１１から第２咬合部３２側に向かって突設された雄側鈎部３１２とからなり、袋本体２の幅方向に延在されている。第２咬合部３２は、基部３２１と前記基部３２１から第１咬合部３１側に向かって突設された雌側鈎部３２２とからなり、袋本体２の幅方向に延在されている。なお、図示例とは反対に、第１咬合部３１が雌側鈎部を有し、第２咬合部３２が雄側鈎部を有していてもよい。
【００２１】
第１咬合部３１には、上方（第１咬合部３１を基準にして収納空間２８とは反対側）及び下方（第１咬合部３１を基準にして収納空間２８側）に向かって一対の延出部４１１，４１２が延設されている。図示例では、第１咬合部３１の基部３１１の上端に、上方且つ袋本体２の幅方向に延設された帯板状の第１上延出部４１１が設けられており、前記第１咬合部３１の基部３１１の下端に、下方且つ袋本体２の幅方向に延設された帯板状の第１下延出部４１２が設けられている。
第２咬合部３２には、上方（第２咬合部３２を基準にして収納空間２８とは反対側）及び下方（第２咬合部３２を基準にして収納空間２８側）に向かって一対の延出部４２１，４２２が延設されている。図示例では、第２咬合部３２の基部３２１の上端に、上方且つ袋本体２の幅方向に延設された帯板状の第２上延出部４２１が設けられており、前記第２咬合部３２の基部３２１の下端に、下方且つ袋本体２の幅方向に延設された帯板状の第２下延出部４２２が設けられている。
【００２２】
第１咬合部３１は、下方に延設された第１下延出部４１２を介して第１壁面シート部２１の内面に取り付けられている。この第１下延出部４１２は、第１咬合部３１を第１壁面シート部２１に取り付けるための取付け部に相当する。第１下延出部４１２のみを介して取り付けられた第１咬合部３１にあっては、その基部３１１及び第１上延出部４１１は、第１壁面シート部２１の内面から離れている。従って、第１咬合部３１及び第１上延出部４１１は第１壁面シート部２１の上端部２１ａの動きに追従することがない。
第２咬合部３２は、その基部３２１が第２壁面シート部２２の内面に直接に取り付けられている。さらに、第２咬合部３２の基部３２１と共に、第２上延出部４２１及び第２下延出部４２２も第２壁面シート部２２の内面に取り付けられている。この第２上延出部４２１及び第２下延出部４２２は、第２咬合部３２を第２壁面シート部２２に取り付けるための取付け部に相当する。従って、第２咬合部３２及び第２上延出部４２１は、第２壁面シート部２２の上端部２２ａの動きに追従する。なお、第２咬合部３２を直接的に第２壁面シート部２２に取り付けるだけでもよく、或いは、第２下延出部４２２のみを介して第２壁面シート部２２の内面に第２咬合部３２を取り付けてもよい（図示せず）。
第１咬合部３１及び第２咬合部３２並びに各延出部４１１，…の第１壁面シート部２１及び第２壁面シート部２２に対する取り付け方法は、特に限定されず、熱溶着、接着剤を用いた接着などが挙げられる。
【００２３】
第１咬合部３１及び第２咬合部３２を有するジッパー３の上下方向における取り付け位置は、特に限定されず、適宜設定できる。
例えば、第１咬合部３１及び第２咬合部３２は、第１壁面シート部２１及び第２壁面シート部２２の上端に略一致する位置に取り付けられていてもよく、或いは、第１壁面シート部２１及び第２壁面シート部２２の上端から下方に寄った位置に取り付けられていてもよい。
図示例では、第１上延出部４１１及び第２上延出部４２１を第１壁面シート部２１及び第２壁面シート部２２の上端から外側に突出させず、第１咬合部３１及び第２咬合部３２が、第１壁面シート部２１及び第２壁面シート部２２の上端から下方に寄った位置に取り付けられている。換言すると、第１壁面シート部２１の上端部２１ａ及び第２壁面シート部２２の上端部２２ａは、第１上延出部４１１及び第２上延出部４２１の上端よりも上方に突出されている。
【００２４】
前記袋本体２の第１壁面シート部２１には、第１把持部５１が設けられ、第２壁面シート部２２には、第２把持部５２が設けられている。
第１把持部５１及び第２把持部５２は、それらを指先で摘むことができるように第１壁面シート部２１及び第２壁面シート部２２の外面にそれぞれ設けられている。第１把持部５１及び第２把持部５２は、それらの少なくとも端部を指先で摘むことができるような形状及び大きさであれば、その具体的な正面視形状は特に限定されない。図示例では、第１把持部５１及び第２把持部５２は、それぞれ正面視略四角形状（略長方形状）に形成され、好ましくは、それぞれ第１壁面シート部２１及び第２壁面シート部２２と同幅の正面視略四角形状（略長方形状）に形成されている。
【００２５】
前記第１把持部５１は、第１壁面シート部２１の外面のうち、前記第１咬合部３１に対応する位置又は第１咬合部３１よりも下方位置に設けられている。前記第２把持部５２は、第２壁面シート部２２の外面のうち、前記第２咬合部３２に対応する位置又は第２咬合部３２よりも下方位置に設けられている。
本実施形態では、第１把持部５１は、第１咬合部３１を基準にして、それよりも下方に離れた位置（下方位置）に設けられている。このような下方位置に第１把持部５１が設けられることにより、第１把持部５１の基端部５１１と第１咬合部３１の間に、第１作用領域６１が確保されている。なお、前記第１作用領域６１は、第１壁面シート部２１の面内の一部の領域である。第１把持部５１は、その基端部５１１を第１壁面シート部２１の外面に連結することによって、第１壁面シート部２１に設けられている。本実施形態では、第１把持部５１は、その基端部５１１を上方に且つ基端部５１１とは反対側の端部５１２を下方にして、第１壁面シート部２１の外面に設けられている。
第２把持部５２は、第２咬合部３２を基準にして、それよりも下方に離れた位置（下方位置）に設けられている。このような下方位置に第２把持部５２が設けられることにより、第２把持部５２の基端部５２１と第２咬合部３２の間に、第２作用領域６２が確保されている。なお、前記第２作用領域６２は、第２壁面シート部２２の面内の一部の領域である。第２把持部５２は、その基端部５１１を第２壁面シート部２２の外面に連結することによって、第２壁面シート部２２に設けられている。本実施形態では、第２把持部５２は、その基端部５２１を上方に且つ基端部５２１とは反対側の端部５２２を下方にして、第２壁面シート部２２の外面に設けられている。
以下、基端部とは反対側の端部を「反対端部」という。
【００２６】
第１把持部５１の基端部５１１から第１咬合部３１までの長さＨ１及び第２把持部５２の基端部５２１から第２咬合部３２までの長さＨ２は、特に限定されないが、余りに小さいと、第１把持部５１及び第２把持部５２が第１咬合部３１及び第２咬合部３２に対応する位置に設けられる場合と実質的に変わらなくなり、余りに大きいと、第１把持部５１及び第２把持部５２を扱い難くなる。かかる観点から、第１把持部５１の基端部５１１から第１咬合部３１までの長さＨ１（この長さＨ１は、第１作用領域６１の上下方向長さに相当する）、及び、第２把持部５２の基端部５２１から第２咬合部３２までの長さＨ２（この長さＨ２は、第２作用領域６２の上下方向長さに相当する第２把持部５２の基端部５２１と第２咬合部３２の上下方向における間隔）は、それぞれ独立して、例えば、５ｍｍ〜４０ｍｍであり、好ましくは、１０ｍｍ〜３０ｍｍである。
【００２７】
第１把持部５１と第２把持部５２は、袋本体２の上下方向において同じ高さ位置に設けられていてもよく、何れか一方が上方に位置ずれしていてもよい。図示例では、第１把持部５１と第２把持部５２は、袋本体２の上下方向において同じ高さ位置（袋本体２を挟んで対向する位置）に設けられている。
【００２８】
前記第１把持部５１及び第２把持部５２は、例えば、柔軟なシート材から形成される。第１把持部５１及び第２把持部５２を構成する各シート材は、特に限定されず、上記第１壁面シート部２１を構成するシート材として例示したようなシート材から適宜選択して使用できる。第１把持部５１を構成するシート材及び第２把持部５２を構成するシート材は、同じシート材でもよく、或いは、異なっていてもよい。第１把持部５１及び第２把持部５２を構成する各シート材と、第１壁面シート部２１及び第２壁面シート部２２を構成する各シート材とは、同じシート材でもよく、或いは、異なっていてもよい。例えば、第１把持部５１と第１壁面シート部２１が別々のシート材（両者のシート材そのものは同じ材質でもよく異なる材質でもよい）から構成される場合、第１把持部５１は第１壁面シート部２１の外面に熱溶着などによって接着される。また、部分的に粘着剤が露出された部分粘着ラベル（タックラベルなどとも言われる）を用いて第１把持部５１を形成し、その粘着ラベルを粘着剤を介して第１壁面シート部２１に接着することによって、第１把持部５１を第１壁面シート部２１に形成してもよい。第２把持部５２と第２壁面シート部２２が別々のシート材から構成される場合も同様である。
必要に応じて、第１把持部５１及び第２把持部５２には、所望のデザインが印刷などによって表示される。
【００２９】
図示例では、シート材からなる第１把持部５１は、その基端部５１１及び両側端部が第１壁面シート部２１の面内に連結され、第１把持部５１のうち基端部５１１及び両側端部以外は、第１壁面シート部２１の外面に連結されておらず、第１壁面シート部２１から離反されている。従って、第１把持部５１と第１壁面シート部２１は協働して空間５１９を形成しており、第１把持部５１の反対端部５１２と第１壁面シート部２１の間には、前記空間５１９に連続する第１差込み部５１８が形成されている。この第１差込み部５１８及び前記空間５１９は、少なくとも１本の指を差し入れ可能な大きさである。
また、シート材からなる第２把持部５２は、その基端部５２１及び両側端部が第２壁面シート部２２の面内に連結され、第２把持部５２のうち基端部５２１及び両側端部以外は、第２壁面シート部２２の外面に連結されておらず、第２壁面シート部２２から離反されている。従って、第２把持部５２と第２壁面シート部２２は協働して空間５２９を形成しており、第２把持部５２の反対端部５２２と第２壁面シート部２２の間には、前記空間５２９に連続する第２差込み部５２８が形成されている。この第２差込み部５２８及び前記空間５２９は、少なくとも１本の指を差し入れ可能な大きさである。
【００３０】
第１把持部５１の上下方向の長さＬ１及び第２把持部５２の上下方向の長さＬ２は、特に限定されないが、余りに小さいと、第１把持部５１及び第２把持部５２を摘み難くなり、余りに大きいと、第１把持部５１及び第２把持部５２を取り扱い難くなる。かかる観点から、第１把持部５１の上下方向の長さＬ１及び第２把持部５２の上下方向の長さＬ２は、それぞれ独立して、例えば、５ｍｍ〜１００ｍｍであり、好ましくは、１０ｍｍ〜５０ｍｍである。
【００３１】
なお、図示例では、第１把持部５１、第２把持部５２、第１壁面シート部２１及び第２壁面シート部２２は、１枚のシート材から構成されている。例えば、１枚のシート材を下方において折り返して２重に重ね、さらに、２重のシート材の一方及び他方をそれぞれ襞を作るように外側に引き出しつつ折り畳んだ後、その両側端部を互いに接着することにより、第１把持部５１及び第２把持部５２を有し且つ上方に開口部２９を有する袋本体２が形成されている。
熱溶着によりシート材を接着する場合、最内面層であるシーラント層同士が対面しないと熱溶着できない。このため、図３に示すように、第１壁面シート部２１と第２壁面シート部２２の両側端部の一部分に切欠き部２１ｆ，２１ｇが形成され、その切欠き部２１ｆ，２１ｇにおいて第１把持部５１を構成するシート材のシーラント層と第２把持部５２を構成するシート材のシーラント層が対面して熱溶着されている。
なお、特に図示しないが、前記第１把持部５１及び第２把持部５２が、第１壁面シート部２１及び第２壁面シート部２２とは別々のシート材から構成されていてもよい。この場合、別々のシート材からなる第１把持部５１を第１壁面シート部２１に、第２把持部５２を第２壁面シート部２２にそれぞれ重ね合わせ、第１把持部５１及び第２把持部５２の基端部５２１及び両側端部を第１壁面シート部２１及び第２壁面シート部２２に接着剤などで接着することにより、第１把持部５１及び第２把持部５２を有する袋本体２が形成される。
第１壁面シート部２１、第２壁面シート部２２、第１把持部５１及び第２把持部５２などの各構成要素は、概念的なものであって、シート材を用いてそれらを具現化する手法は様々であり、図示例に限定されるわけではない。
【００３２】
本発明のジッパー付き袋１は、収納空間２８内に所望の物品を収納して使用される（なお、全ての図において、物品を図示せず）。
例えば、ジッパー付き袋１は、流通過程の包装袋として使用できる（第１の使用法）。この場合、ジッパー付き袋１の収納空間２８内に物品が入れられた状態（物品包装体の状態）で流通過程に供され、その物品包装体を販売対象として使用者に販売される。
また、ジッパー付き袋１は、保管袋として使用できる（第２の使用法）。この場合、物品を入れず、ジッパー付き袋１を販売対象として使用者に販売される。
【００３３】
第１の使用法においては、通常、物品包装体は、販売店などに陳列して販売される。かかる物品包装体に対して、例えば、悪意者が、図６に示すように、袋本体２の第１壁面シート部２１の上端部２１ａ及び第２壁面シート部２２の上端部２２ａを摘んでこれらを引張り、ジッパー３を開封しようとしても、その引張り力が、第１咬合部３１の基部３１１に加わらず、第１下延出部４１２に加わるので、第１咬合部３１と第２咬合部３２の咬合が解除させることは非常に困難である。従って、改竄による開封を防止できる。また、悪意のない者、例えば、幼児などが前記のように第１壁面シート部２１の上端部２１ａ及び第２壁面シート部２２の上端部２２ａを摘んでこれらを引張ったとしても、同様に開封できない。このように本発明のジッパー付き袋１は、予定外の開封を防止できる。
なお、図６を含む開封時の状況を示す端面図にあっては、袋本体２及びジッパー３にハッチングを付加せず、太い実線で表している。
【００３４】
一方、物品包装体の購入者などがジッパー付き袋１を正規開封する際には、次のような開封方法によってジッパー３を容易に開封できる。
図７及び図８に示すように、第１壁面シート部２１の外面に設けられた第１把持部５１を片手で摘み、且つ、第２壁面シート部２２の外面に設けられた第２把持部５２をもう片方の手で摘むようにする（以下、把持工程という）。
そして、図９及び図１０に示すように、前記摘んだ第１把持部５１及び第２把持部５２をそれぞれ引張って第１壁面シート部２１と第２壁面シート部２２を離反させつつ、前記第１壁面シート部２１及び第２壁面シート部２２をその外側から収納空間２８側に押し込む（以下、押圧工程という）。
このように押し込むことにより、第１咬合部３１と第２咬合部３２の咬合が収納空間２８側から解除され、ジッパー３を開封できる。
【００３５】
詳しくは、図７及び図８に示すように、第１差込み部５１８から片手の指（例えば、右手の人差し指と中指）を入れ、その手の親指を第１把持部５１の外面に添え、前記人差指などと親指とで第１把持部５１を摘むようにする。同様に、第２差込み部５２８からもう片方の手の指（例えば、左手の人差し指と中指）を入れ、その手の親指を第２把持部５２の外面に添え、前記人差指などと親指とで第２把持部５２を摘むようにする。
そして、図９及び図１０に示すように、片手（例えば右手）で摘んだ第１把持部５１と、もう片方の手（例えば左手）で摘んだ第２把持部５２を、それぞれが離反するように、第１壁面シート部２１及び第２壁面シート部２２の外面に対して略直交する方向に引張りつつ、両手の親指の間に第１壁面シート部２１及び第２壁面シート部２２を挟み、右手の親指を第１壁面シート部２１の外面から下方（収納空間２８側）に且つ左手の親指を第２壁面シート部２２の外面から下方（収納空間２８側）に略同時に押し込んでいく。第１作用領域６１及び第２作用領域６２が確保されている本実施形態にあっては、前記右手の親指の先端部が、第１作用領域６１及び第１咬合部対応位置に当たり、前記左手の親指の先端部が、第２作用領域６２及び第２咬合部対応位置に当たり、第１作用領域６１（第１咬合部３１の近傍領域）と第２作用領域６２（第２咬合部３２の近傍領域）が収納空間２８側へ押圧される。前記押し込みにより、咬合された第１咬合部３１と第２咬合部３２を互いに離反させる引張力が、収納空間２８側からジッパー３に加わり、第１咬合部３１と第２咬合部３２の咬合が解除される。特に、第１把持部５１が第１咬合部３１よりも下方位置に取り付けられ且つ第２把持部５２が第２咬合部３２よりも下方位置に取り付けられている場合には（つまり、第１作用領域６１及び第２作用領域６２が確保されている場合には）、第１把持部５１と第２把持部５２とを反対の外側へ引き出した際に、第１咬合部３１の下方側及び第２咬合部３２の下方側から第１咬合部３１と第２咬合部３２を離反させる引張り力が加わり易くなる。このため、第１咬合部３１と第２咬合部３２の咬合が収納空間２８側から解除され易くなり、ジッパー３を容易に開封できる。
【００３６】
このように本発明の開封方法によれば、ジッパー付き袋１を容易に開封できる。
また、本発明のジッパー付き袋１によれば、開封後にジッパー３を再封することもでき、物品の包装袋として繰り返し使用できる。
なお、前記開封方法による開封原理は、典型的なケースを説明したものであり、例えば、手先の器用な人の場合には、上記のような両手の使い方をせずに、第１把持部５１及び第２把持部５２を利用してジッパー３を開封させることもできる場合があることに留意されたい。
【００３７】
第２の使用法においては、使用者が収納空間２８内に物品を出し入れして使用する物品の保管袋として使用できる。
例えば、家庭などで使用する際に、乾電池などの日用品を本発明のジッパー付き袋１の開口部２９から収納空間２８内に入れ、ジッパー３を閉塞しておく。このジッパー付き袋１を幼児や高齢者などが不用意に開封する行為を行っても、上述の図６に示すように、ジッパー３を開封できない。一方、正規開封する際には、上述の図７乃至図１０に示すような手順により、容易に開封できる。かかるジッパー付き袋１を用いることにより、幼児の誤飲などを防止できる。また、本発明のジッパー付き袋１は、病院などで薬の保管袋として利用することもできる。
なお、前記第１の使用法の物品包装体から物品を取り出した後に、残ったジッパー付き袋１を、前記第２の使用法で使用することもできる。
【００３８】
以下、本発明の第２実施形態を説明するが、その説明に於いては、主として上記実施形態と異なる構成及び効果について説明し、同様の構成などについては、用語又は符号をそのまま援用し、その構成の説明を省略する場合がある（第３実施形態以降も同様である）。
【００３９】
［第２実施形態］
上記第１実施形態では、第１把持部５１の基端部５１１及び両側端部が第１壁面シート部２１の外面に連結されているが、例えば、図１１乃至図１３に示すように、第１把持部５１の基端部５１１のみが第１壁面シート部２１に連結されていてもよい。かかる第１把持部５１は、図１２及び図１３の矢印に示すように、第１壁面シート部２１との連結部分である基端部５１１を支点として、第１壁面シート部２１に対して揺動可能である。換言すると、図１３に示す側面側から見て、第１把持部５１が、基端部５１１を支点として第１壁面シート部２１に対して回動可能である。
同様に、第２把持部５２の基端部５２１のみが第２壁面シート部２２に連結されていてもよい。かかる第２把持部５２は、図１２の矢印に示すように、第２壁面シート部２２との連結部分である基端部５２１を支点として、第２壁面シート部２２に対して揺動可能である。
本実施形態のジッパー付き袋１も、第１実施形態と同様に、第１及び第２の使用法などで使用でき、第１実施形態で説明したように、第１把持部５１及び第２把持部５２を利用して把持工程及び押圧を行うことにより、図１４に示すように、ジッパー３を開封できる。
本実施形態のように、第１把持部５１が第１壁面シート部２１に対して回動可能に設けられていることにより、第１把持部５１を引き起こし、第１把持部５１を摘み易くなる。第２把持部５２が第２壁面シート部２２に対して回動可能に設けられている場合も同様である。
一方、上記第１実施形態のように、第１把持部５１の基端部及び両側端部が第１壁面シート部２１の外面に連結されている場合には、第１把持部５１が第１壁面シート部２１の外面に沿うので、ジッパー付き袋１の保管・流通時に、第１把持部５１が異物に干渉することを抑制できる。第２把持部５２の基端部及び両側端部が第２壁面シート部２２の外面に連結されている場合も同様である。
【００４０】
［第３実施形態］
上記第１及び第２実施形態では、シート材からなる第１把持部５１及び第２把持部５２の内外面は平滑面であるが、第１把持部５１及び第２把持部５２の少なくとも一方に、滑り止めが設けられていてもよい。前記滑り止めは、第１把持部５１の少なくとも内面側（第１把持部５１の内面側は、基端部５１１を上方に且つ反対端部５１２を下方にした状態の第１把持部５１を基準にして、第１壁面シート部２１の外面に対面する側）に設けられていることが好ましい。また、前記滑り止めは、第２把持部５２の少なくとも内面側（第２把持部５２の内面側は、基端部５２１を上方に且つ反対端部５２２を下方にした状態の第２把持部５２を基準にして、第２壁面シート部２２の外面に対面する側）に設けられていることが好ましい。
例えば、図１５及び図１６に示すように、第１把持部５１の面内に、厚み方向に貫通する孔部７１が形成されていてもよい。同様に、第２把持部５２の面内に、厚み方向に貫通する孔部７２が形成されていてもよい。これらの孔部７１，７２は、滑り止めに相当する。特に、貫通された孔部７１，７２は、第１把持部５１及び第２把持部５２の内面側及び外面側にそれぞれ設けられた滑り止めに相当する。前記孔部７１，７２の大きさ及び形状は、特に限定されないが、指先が引っ掛かる程度であることが好ましい。なお、指先が引っ掛かる程度の孔部としては、指先を挿通できる程度の大きさ及び形状の孔部、指先の肉が孔部に食い込む程度の大きさ及び形状の孔部が挙げられる。かかる孔部７１，７２（滑り止め）が形成されていることにより、その孔部７１，７２に指先が引っ掛かるので、押圧工程で第１把持部５１及び第２把持部５２を引き出し易くなる。なお、図示例では、第１把持部５１及び第２把持部５２を構成するシート材の面内に無端環状の切り込み線を形成し、その切り込み線で囲われる範囲を除去することにより、孔部７１，７２が形成されているが（孔部を形成する部分のシート材を除去しているが）、例えば、前記シート材の面内に、有端非直線状（例えば、正面視略Ｕ字状、略Ｖ字状、略Ｃ字状）の切り込み線を形成することにより、孔部を形成してもよい（図示せず）。有端非直線状の切り込み線を形成した場合には、その切り込み線で囲われた範囲のシート材が残存しているが、使用時に指を入れると、その範囲が押し出されて孔部が生じるようになる。
また、滑り止めは、前記のような貫通した孔部７１，７２に限られず、第１把持部５１及び／又は第２把持部５２の面内に形成された凸部又は凹部でもよく、或いは、第１把持部５１及び／又は第２把持部５２の面内に公知の滑り止め剤を塗布することにより形成された粗面部などでもよい（図示せず）。
【００４１】
［第４実施形態］
また、図１７乃至図１９に示すように、第１把持部５１の両側端部に、下方及び幅方向に伸びる抑制部８１（第１抑制部８１という）が設けられていてもよい。同様に、第２把持部５２の両側端部に、下方及び幅方向に伸びる抑制部８２（第２抑制部８２という）が設けられていてもよい。第１抑制部８１及び第２抑制部８２は、例えば、シート材からなり、幅方向に延びる正面視略長方形状である。
図示例の袋本体２は、孔部８３，８３が形成され且つその孔部８３が向かい合うように下方において折り返された１枚のシート材と、前記折り返されたシート材の間に介在された別個の２枚のシート材と、から形成されている。第１壁面シート部２１及び第２壁面シート部２２は、前記折り返された１枚のシート材と２枚のシート材とから構成されている。第１把持部５１及び第１抑制部８１、並びに、第２把持部５２及び第２抑制部８２は、それぞれ、前記折り返された１枚のシート材のうち孔部８３の周辺部にて構成されている。
概念的には、第１抑制部８１は、（幅方向中央部を除いて）第１把持部５１の両側端部の下方に連結されており、第１抑制部８１の両側端部及び下端部は、第１壁面シート部２１の外面に接着されている。第２抑制部８２は、（幅方向中央部を除いて）第２把持部５２の両側端部の下方に連結されており、第２抑制部８２の両側端部及び下端部は、第２壁面シート部２２の外面に接着されている。
図示例では、第１把持部５１と第１抑制部８１、及び、第２把持部５２と第２抑制部８２は、それぞれ１枚のシート材から形成されている。１枚のシート材から形成される場合、その１枚のシート材の面内の中央部に孔部８３を設けることにより、上記第１把持部５１と第１抑制部８１、及び、第２把持部５２と第２抑制部８２がそれぞれ形成される。なお、上記第１実施形態で説明したように、第１壁面シート部２１などの各構成要素は概念的なものであり、本実施形態の第１抑制部８１及び第２抑制部８２などの各構成要素をシート材を用いて具現化する手法は図示例に限られない。
本実施形態のジッパー付き袋１は、図２０及び図２１に示すように、孔部８３，８３から指を入れ、第１把持部５１及び第２把持部５２を摘み、第１壁面シート部２１及び第２壁面シート部２２の外側から押し込むことにより、ジッパー３を開封できる。
本実施形態のジッパー付き袋１は、第１把持部５１及び第２把持部５２に第１抑制部８１及び第２抑制部８２が設けられているので、第１把持部５１及び第２把持部５２が第１壁面シート部２１及び第２壁面シート部２２の外面に沿い、第１把持部５１及び第２把持部５２が異物に干渉することを抑制できる。
【００４２】
［第５実施形態］
上記第１乃至第４実施形態のジッパー付き袋１は、袋本体２の開口部２９が予め開口されているが、本発明のジッパー付き袋１は、袋本体２の開口部２９が予め開口されているものに限定されない。本発明のジッパー付き袋１は、例えば、開口部２９の一部又は全部が予め閉塞され、使用時に開口部２９を開口させる形式であってもよい。
例えば、図２２及び図２３に示すように、第１壁面シート部２１の上端部２１ａと第２壁面シート部２２の上端部２２ａが幅方向全体に亘って接着されているジッパー付き袋１でもよい。なお、特に図示しないが、第１壁面シート部２１の上端部２１ａと第２壁面シート部２２の上端部２２ａが幅方向の一部分で接着されていてもよい。上記第１実施形態などでは、袋本体２の上端に開口部２９が開口されているが、本実施形態では、袋本体２の上端部が閉塞されている。必要に応じて、袋本体２の両側部のうち前記接着された上端部とジッパー３の間の領域に、切込みやミシン目線などの切断補助手段を設けてもよい。
かかるジッパー付き袋１は、使用時に、前記接着された上端部とジッパー３の間の領域において幅方向に切断することにより、図１及び図２に示すようなジッパー付き袋１となり、事後、上記第１実施形態と同様にしてジッパー３を開封できる。
【００４３】
また、図２４及び図２５に示すように、袋本体２の開口部２９を覆うように第１把持部５１及び第２把持部５２がそれぞれ基端部５１１，５２１から上方に立ち上げられ、且つ、第１把持部５１の反対端部５１２と第２把持部５２の反対端部５２２が幅方向全体（又は幅方向の一部分）において接着されているジッパー付き袋１でもよい。かかるジッパー付き袋１は、袋本体２のみを見るとその上端の開口部２９が開口されているが、端部において封止された第１把持部５１及び第２把持部５２によって袋本体２の開口部２９が覆われているので、ジッパー付き袋１の全体から見ると、開口部２９が予め閉塞されている。かかるジッパー付き袋１は、図２６に示すように、使用時に、前記接着された反対端部５１２，５２２の近傍を幅方向に切断して除去して第１把持部５１と第２把持部５２を離反させることにより、袋本体２の開口部２９が露出する。この離反させた第１把持部５１と第２把持部５２は、それぞれ基端部５１１，５２１を支点として第１壁面シート部２１及び第２壁面シート部２２に対して揺動可能であるので、図２７に示すように、第１把持部５１及び第２把持部５２を摘み、上記第１実施形態と同様にしてジッパー３を開封できる。
【００４４】
第５実施形態のように、予め開口部２９が閉塞されているジッパー付き袋１は、袋本体２などを切断しなければ、ジッパー３の設けられた開口部２９が開口しないので、不用意な開封を確実に防止できる。
第５実施形態のようなジッパー付き袋１は、収納空間２８内に物品を入れた状態で販売される物品包装体の形態（第１の使用法）に適用することが好適である。つまり、販売時には物品包装体の不用意な開封を確実に防止でき、購入者が物品を取り出した後に残るジッパー付き袋１を保管袋として利用できる。
なお、第５実施形態のような開口部２９が予め閉塞されているジッパー付き袋１を用いた物品包装体は、ジッパー付き袋１の収納空間２８に物品を入れた後、ジッパー１を閉じ、さらに、端部を熱溶着などの手段で接着することによって得られる。
【００４５】
［その他］
また、上記各実施形態において、袋本体２は、対向配置された第１壁面シート部２１及び第２壁面シート部２２のみからなるが、必要に応じて、図２５に示すように、第１壁面シート部２１及び第２壁面シート部２２と、その下方に介在された底面シート部２３と、からなる底面ガゼット付きの袋本体２でもよい。また、特に図示しないが、第１壁面シート部２１及び第２壁面シート部２２の一方又は両方の側部に側面シート部が介在されている側面ガゼット付きの袋本体２でもよく、第１壁面シート部２１及び第２壁面シート部２２の上方に上面シート部が介在されている上面ガゼット付きの袋本体２でもよい。本発明において、袋本体２の構成は、従来公知の様々な包装袋やパウチ袋などの構成を採用できる。
さらに、上記各実施形態で示したジッパー３に代えて、例えば、特許文献１に開示された様々な形態のジッパー３を適用してもよい。
その他、上記各実施形態から選ばれる２以上の構成を適宜組み合わせてもよく、或いは、上記各実施形態から選ばれる１つ又は２つ以上の構成を、それ以外の実施形態に置換してもよい。
【符号の説明】
【００４６】
１  ジッパー付き袋
２  袋本体
２１  第１壁面シート部
２２  第２壁面シート部
２８  袋本体の収納空間
２９  袋本体の開口部
３  ジッパー
３１  第１咬合部
３２  第２咬合部
４１２  第１下延出部（取付け部）
５１  第１把持部
５１１  第１把持部の基端部
５１２  第１把持部の反対端部
５２  第２把持部
５２１  第２把持部の基端部
５２２  第２把持部の反対端部
６１  第１作用領域
６２  第２作用領域
５１８，５２８  差込み部
【図１】
2018167873.tif 000003
【図２】
2018167873.tif 000004
【図３】
2018167873.tif 000005
【図４】
2018167873.tif 000006
【図５】
2018167873.tif 000007
【図６】
2018167873.tif 000008
【図７】
2018167873.tif 000009
【図８】
2018167873.tif 000010
【図９】
2018167873.tif 000011
【図１０】
2018167873.tif 000012
【図１１】
2018167873.tif 000013
【図１２】
2018167873.tif 000014
【図１３】
2018167873.tif 000015
【図１４】
2018167873.tif 000016
【図１５】
2018167873.tif 000017
【図１６】
2018167873.tif 000018
【図１７】
2018167873.tif 000019
【図１８】
2018167873.tif 000020
【図１９】
2018167873.tif 000021
【図２０】
2018167873.tif 000022
【図２１】
2018167873.tif 000023
【図２２】
2018167873.tif 000024
【図２３】
2018167873.tif 000025
【図２４】
2018167873.tif 000026
【図２５】
2018167873.tif 000027
【図２６】
2018167873.tif 000028
【図２７】
2018167873.tif 000029